(57)【要約】  ビーム検出及びビーム追跡のためのシステム並びに方法が開示される。一実施例において、方法は、ＵＥにより、１つ又は複数のスモールセルノードによってビームで送信された参照信号を検出するステップであって、各参照信号がビームに割り当てられる、ステップと、ＵＥにより、ビームのビーム品質を測定するステップと、ＵＥにより、最良品質のビームをマクロセルノードに報告するステップと、ＵＥにより、マクロセルノードからアサインメントを受信するステップであって、アサインメントが、指定されたスモールセルノードにアクセス信号を送信するためのものである、ステップと、ＵＥにより、アクセス信号を指定されたスモールセルノードに送信するステップとを含む。
2018526858.tif 000002
【特許請求の範囲】
【請求項１】
異種無線ネットワークにおいて、指定されたスモールセルノードとユーザ装置（User  Equipment、ＵＥ）との間のデータリンクを提供するための方法であって、当該方法が、
前記ＵＥにより、１つ又は複数のスモールセルノードによってビームで送信された参照信号を検出するステップであって、各参照信号がビームに割り当てられる、ステップと、
前記ＵＥにより、前記ビームのビーム品質を測定するステップと、
前記ＵＥにより、最良品質のビームをマクロセルノードに報告するステップと、
前記ＵＥにより、前記マクロセルノードからアサインメントを受信するステップであって、前記アサインメントが前記指定されたスモールセルノードにアクセス信号を送信するためのものである、ステップと、
前記ＵＥにより、前記アクセス信号を前記指定されたスモールセルノードに送信するステップとを含む、方法。
【請求項２】
前記ＵＥにより、前記マクロセルノードから前記１つ又は複数のスモールセルノードの一般的な構成情報を受信するステップを更に含む、請求項１に記載の方法。
【請求項３】
前記ＵＥにより、前記アクセス信号を送信するステップが、前記指定されたスモールセルノードにランダムアクセス検出信号を送信するステップを含む、請求項１に記載の方法。
【請求項４】
前記ＵＥにより、ランダムアクセス応答信号を前記指定されたスモールセルノードから受信するステップを更に含む、請求項３に記載の方法。
【請求項５】
前記ＵＥにより、前記最良品質のビームを報告するステップが、前記無線ネットワークがＴＤＭモードで動作している場合に、前記マクロセルノードにタイムスタンプ及びスモールセルインデックスを報告するステップを含む、請求項１に記載の方法。
【請求項６】
前記ＵＥにより、前記最良品質のビームを報告するステップが、前記無線ネットワークがＣＤＭモードで動作している場合に、前記マクロセルノードにビームインデックス及びスモールセルインデックスを報告するステップを含む、請求項１に記載の方法。
【請求項７】
前記ＵＥにより、前記最良品質のビームを報告するステップが、前記無線ネットワークがＦＤＭモードで動作している場合に、前記マクロセルノードにリソースブロックインデックス及びスモールセルインデックスを報告するステップを含む、請求項１に記載の方法。
【請求項８】
前記ＵＥにより、前記最良品質のビームを報告するステップが、チャネル品質インジケータ（channel  quality  indicator、ＣＱＩ）情報を報告するステップを含む、請求項１に記載の方法。
【請求項９】
前記ビームの品質が、前記ビームの、信号雑音比（signal-noise-ration、ＳＮＲ）、参照信号受信電力（reference  signal  received  power、ＲＳＲＰ）、及び参照信号受信品質（reference  signal  received  quality、ＲＳＲＱ）のうちの少なくとも１つに基づいて判定される、請求項１に記載の方法。
【請求項１０】
前記ＵＥがＭ個のビームを形成し、前記スモールセルノードがＮ個のビームを形成するとともに、前記最良品質のビームを報告するステップが、Ｎ×Ｍ個のビームの組み合わせに対する前記最良品質のビームを報告するステップを含む、請求項１に記載の方法。
【請求項１１】
アサインメントが、少なくとも１つの指定されたビーム及び少なくとも１つの指定された時間スロットにおいて前記アクセス信号を送信するためのものである、請求項１に記載の方法。
【請求項１２】
前記指定されたスモールセルノードがミリ波スモールセルノードである、請求項１に記載の方法。
【請求項１３】
無線ネットワークにおいて、指定されたスモールセルノードに通信するように構成されたユーザ装置（User  Equipment、ＵＥ）であって、当該ＵＥが、
１つ又は複数のスモールセルノードによってビームで送信された参照信号を検出するように構成された検出器であって、各参照信号がビームに割り当てられる、検出器と、
前記ビームのビーム品質を測定するように構成されたプロセッサと、
最良品質のビームをマクロセルノードに報告するように構成された送信機と、
前記マクロセルノードからアサインメントを受信するように構成された受信機であって、前記アサインメントが前記指定されたスモールセルノードにアクセス信号を送信するためのものである、受信機と、
前記指定されたスモールセルノードに前記アクセス信号を送信するように構成された前記送信機とを備える、ＵＥ。
【請求項１４】
前記アサインメントが、指定されたビーム及び指定されたタイムスロットにおける前記アクセス信号のためのものであり、前記アクセス信号が、前記指定されたビーム及び前記指定されたタイムスロットにおいて前記指定されたスモールセルノードに送信される、請求項１３に記載のＵＥ。
【請求項１５】
異種無線ネットワークにおいて、スモールセルノードとユーザ装置（User  Equipment、ＵＥ）との間のデータリンクを提供するための方法であって、当該方法が、
前記スモールセルノードにより、ダウンリンクにおいて参照信号を送信するステップであって、各参照信号がビームに割り当てられる、ステップと、
前記スモールセルノードにより、アクセス信号を監視するためのアサインメントをマクロセルノードから受信するステップと、
前記スモールセルノードにより、前記ＵＥからの前記アクセス信号を検出するステップとを含む、方法。
【請求項１６】
前記スモールセルノードが、新しいＵＥからのアクセス要求を避けるために又は指定されたビーム内の前記参照信号を変更するために、前記指定されたビームが既に占有されていることを前記新しいＵＥが分かるように、前記参照信号をサイレンスする、請求項１５に記載の方法。
【請求項１７】
前記アクセス信号を監視するための前記アサインメントが、指定されたビーム及び指定された時間スロットにおいて前記アクセス信号を監視するためのアサインメントを含み、前記アクセス信号が、前記指定されたビーム及び指定されたタイムスロットにおいて検出される、請求項１５に記載の方法。
【請求項１８】
異種無線ネットワークにおいて、スモールセルノードとＵＥとの間のデータリンクを提供するための方法であって、当該方法が、
マクロｅＮＢにより、ＵＥからスモールセルビーム品質測定報告を受信するステップと、
前記マクロｅＮＢにより、ランダムアクセスのために前記スモールセルノード及びＵＥにアサインメントを送信するステップとを含む、方法。
【請求項１９】
複数のＵＥが同じビームに割り当てられ、マクロｅＮＢアサインメントが複数の直交リソースのうちの直交リソースのアサインメントを含み、前記直交リソースの前記アサインメントが競合のないアクセスを保証する、請求項１８に記載の方法。
【請求項２０】
前記アサインメントが、指定されたビーム及び指定されたタイムスロットの前記アサインメントを含む、請求項１８に記載の方法。
【請求項２１】
ＵＥに通信するように構成されたスモールセルノードであって、当該スモールセルノードが、
ダウンリンクにおいて参照信号を送信するように構成された送信機であって、各参照信号がビームに割り当てられる、送信機と、
アクセス信号を監視するためのアサインメントをマクロセルノードから受信するように構成された受信機と、
前記ＵＥからの前記アクセス信号を検出するように構成された検出器とを備える、スモールセルノード。
【請求項２２】
アクセス信号が、指定されたビーム及び指定されたタイムスロットにおいて監視され、前記アクセス信号が、前記指定されたビーム及び前記指定されたタイムスロットにおいて検出される、請求項２１に記載のスモールセルノード。
【請求項２３】
マクロセルノードであって、
ＵＥからスモールセルビーム品質測定報告を受信するように構成された受信機と、
ランダムアクセスのためにスモールセルノード及び前記ＵＥにアサインメントを送信するように構成された送信機とを備える、マクロセルノード。
【請求項２４】
前記アサインメントが、指定されたビーム及び指定されたタイムスロットのアサインメントを含む、請求項２３に記載のマクロセルノード。
【発明の詳細な説明】
【技術分野】
【０００１】
関連出願への相互参照
この出願は、２０１５年７月２日に出願された“異種ネットワーク内のミリ波スモールセルにおけるビーム検出、ビーム追跡、及びランダムアクセス（Beam  Detection,  Beam  Tracking  and  Random  Access  in  MM-Wave  Small  Cells  in  Heterogeneous  Network）”という名称の米国仮特許出願第１４／７９１，１１２号に対する優先権を主張し、上記米国出願は、その全体が再現されているかのように、参照により本明細書に組み込まれている。
【０００２】
技術分野
本発明は、一般的に、ビーム検出又はビームトラクションのためのシステム及び方法に関し、特に実施例では、異種ネットワーク内のミリ波（millimeter  wave、mm-wave）スモールセルにおけるビーム選択又はビームトラクションのためのシステム及び方法に関する。
【背景技術】
【０００３】
次世代の無線通信システム（５Ｇ）は、モバイルトラフィックの予測される成長を満たすために、現在の４Ｇシステム（例えば、ＬＴＥ又はＷｉＭＡＸ）よりも１００〜１０００倍多くの容量を供給する必要があると予想される。スペクトル効率を高めるための既存のアプローチが無線データにおけるこの爆発的な需要を満たす可能性は低い。現在の４Ｇシステムは、理論上の限界値と実際の達成値との間の差を実質的に排除するために、直交周波数分割多重（Orthogonal  Frequency  Division  Multiplexing、ＯＦＤＭ）、マルチ入力マルチ出力（Multiple  Input  Multiple  Output、ＭＩＭＯ）、マルチユーザダイバシティ、空間分割多元接続（spatial  division  multiple  access、ＳＤＭＡ）、高次変調、高度な符号化、及びリンクアダプテーションを含む様々な高度な技術を使用している。したがって、キャリアアグリゲーション及び高次ＭＩＭＯのようなより新しい技術は、スペクトル効率の僅かな向上のみを提供することだけができる。過去にうまく機能した容量を増やすための１つの戦略は、より小さいセルの使用である。
【０００４】
容量を増やすためのもう１つの戦略は、ミリ波（millimeter  wave、mm-wave）帯域に周波数を拡張することである。ミリ波帯域では、広い周波数帯域（例えば、１ＧＨｚ帯域）を利用することにより、非常に高いデータレートが実現されることができる。しかしながら、ミリ波帯域は激しい経路損失に悩まされ、したがってミリ波通信ではビーム形成技術を必須としている。ミリ波システムでは、短い波長に起因して、大規模なアンテナアレイが実現されることができ、その結果、経路損失を克服するために、高いアンテナ利得を有するナロービームが形成されることができる。ミリ波進化型ノードＢ（evolved  node  B、ｅＮＢ）とユーザ装置（user  equipment、ＵＥ）との間の正しいビームを検出することは、大きなシグナリング及び時間オーバヘッドを消費する。
【発明の概要】
【０００５】
本発明の一実施例によれば、異種無線ネットワークにおいて、指定されたスモールセルノードとＵＥとの間のデータリンクを提供するための方法は、ＵＥにより、１つ又は複数のスモールセルノードによってビームで送信された参照信号を検出するステップであって、各参照信号がビームに割り当てられる、ステップと、ＵＥにより、ビームのビーム品質を測定するステップと、ＵＥにより、最良品質のビームをマクロセルノードに報告するステップと、ＵＥにより、マクロセルノードからアサインメントを受信するステップであって、アサインメントが、指定されたスモールセルノードにアクセス信号を送信するためのものである、ステップと、ＵＥにより、アクセス信号を指定されたスモールセルノードに送信するステップとを含む。
【０００６】
本発明の一実施例によれば、データリンクを維持するための方法は、ＵＥにより、スモールセルノードとＵＥとの間の第１のビーム内のダウンリンクデータ又はアップリンクデータを処理するステップと、ＵＥにより、無線ネットワークにおける１つ又は複数のスモールセルノードによってビームで送信された参照信号を監視するステップであって、各参照信号がビームに割り当てられる、ステップと、ＵＥにより、ビームのビーム品質を測定するステップと、ＵＥにより、第２のビームのアサインメントを受信するステップであって、第２のビームが１つ又は複数のスモールセルノードによって送信され、第２のビームが第１のビームよりも優れた品質を提供する、ステップと、ＵＥにより、ＵＥに対するダウンリンクデータ又はアップリンクデータの処理を第１のビームから第２のビームへ切り替えるステップとを含む。
【０００７】
本発明の一実施例によれば、無線ネットワークにおいて、指定されたスモールセルノードに通信するように構成されたユーザ装置（user  equipment、ＵＥ）は、１つ又は複数のスモールセルノードによってビームで送信された参照信号を検出するように構成された検出器であって、各参照信号がビームに割り当てられる、検出器と、ビームのビーム品質を測定するように構成されたプロセッサと、最良品質のビームをマクロセルノードに報告するように構成された送信機と、マクロセルノードからアサインメントを受信するように構成された受信機であって、アサインメントが、指定されたスモールセルノードにアクセス信号を送信するためのものである、受信機と、指定されたスモールセルノードにアクセス信号を送信するように構成された送信機とを備える。
【０００８】
本発明の一実施例によれば、異種無線ネットワークにおいて、スモールセルノードとＵＥとの間のデータリンクを提供するための方法は、スモールセルノードにより、ダウンリンクにおいて参照信号を送信するステップであって、各参照信号がビームに割り当てられる、ステップと、スモールセルノードにより、アクセス信号を監視するためのアサインメントをマクロセルノードから受信するステップと、スモールセルノードにより、ＵＥからのアクセス信号を検出するステップとを含む。
【０００９】
本発明の一実施例によれば、異種無線ネットワークにおいて、スモールセルノードとＵＥとの間のデータリンクを提供するための方法は、マクロｅＮＢにより、ＵＥからスモールセルビーム品質測定報告を受信するステップと、マクロｅＮＢにより、ランダムアクセスのためにスモールセルノード及びＵＥにアサインメントを送信するステップとを含む。
【００１０】
本発明の一実施例によれば、指定されたスモールセルノードに通信するように構成されたユーザ装置（user  equipment、ＵＥ）は、１つ又は複数のスモールセルノードによってビームで送信された参照信号を監視するように構成された検出器であって、各参照信号がビームに割り当てられる、検出器と、第１のビームにおけるスモールセルノードとＵＥとの間のダウンリンクデータ又はアップリンクデータを処理するように構成されるとともに、ビームのビーム品質を測定するように構成されたプロセッサと、第２のビームが第１のビームよりも優れた品質を提供する場合に、指定されたスモールセルノードの第２のビームのアサインメントを受信するように構成された受信機とを備え、プロセッサは、ＵＥに対するダウンリンクデータ又はアップリンクデータの処理を第１のビームから第２のビームへ切り替えるように更に構成される。
【００１１】
本発明の一実施例によれば、ＵＥに通信するように構成されたスモールセルノードは、ダウンリンクにおいて参照信号を送信するように構成された送信機であって、各参照信号がビームに割り当てられる、送信機と、アクセス信号を監視するためのアサインメントをマクロセルノードから受信するように構成された受信機と、ＵＥからのアクセス信号を検出するように構成された検出器とを備える。
【００１２】
本発明の一実施例によれば、マクロセルノードは、ＵＥからスモールセルビーム品質測定報告を受信するように構成された受信機と、ランダムアクセスのためにスモールセルノード及びＵＥにアサインメントを送信するように構成された送信機とを備える。
【００１３】
本発明及びその利点のより完全な理解のために、添付の図面と共に読まれる下記の説明に対して、ここで参照が行われる。
【図面の簡単な説明】
【００１４】
【図１】一実施例による、異種ネットワークにおけるビーム検出及びビーム追跡のための方法を示す。
【図２ａ】一実施例による、マクロノード、スモールセルノード、及びＵＥを備える異種ネットワークにおける接続の異なる段階を示す。
【図２ｂ】一実施例による、マクロノード、スモールセルノード、及びＵＥを備える異種ネットワークにおける接続の異なる段階を示す。
【図２ｃ】一実施例による、マクロノード、スモールセルノード、及びＵＥを備える異種ネットワークにおける接続の異なる段階を示す。
【発明を実施するための形態】
【００１５】
ミリ波進化型ノードＢ（evolved  node  B、ｅＮＢ）とＵＥとの間の通信を確立する前に、ビーム方向が、ミリ波ｅＮＢにおいて、又はミリ波ｅＮＢとＵＥの両方において、識別される必要がある。ミリ波セルにおいてビームを検出及び追跡するための従来の手順は、大量のビームトレーニング又はブラインド検出を必要とし、その結果、大きなサウンディングオーバヘッドが生じる。
【００１６】
本発明の実施例は、異種ネットワーク（heterogeneous  network、ＨｅｔＮｅｔ）のミリ波スモールセルにおけるビーム検出、ビーム識別、及びビーム選択のための方法並びにシステムを提供する。この方法は、ミリ波ｅＮＢのようなスモールセルｅＮＢへのＵＥの初期アクセスのオーバヘッドを大幅に低減することができる。本発明の実施例は、ビーム識別及びビーム追跡によってスモールセルｅＮＢとＵＥとの間の通信（例えば、データリンク）を確立し維持するための方法並びにシステムを更に提供する。本発明の実施例は、ビーム検出、ビーム選択、又はビーム追跡のためのマクロｅＮＢのサポートを利用することができる。本発明の他の実施例は、マクロｅＮＢの助けを借りた、ＨｅｔＮｅｔ内のスモールセルｅＮＢへのＵＥのアクセスを提供する。
【００１７】
これらの実施例の利点は、それらが、ミリ波セルなどのスモールセルにおけるビーム検出のオーバヘッド（時間とシグナリング）を削減する、ということである。さらに、それは、ミリ波セルにおけるＵＥの競合のないランダムアクセスを可能にし、ミリ波セルにおける異なるＵＥ間のビーム衝突を回避し、スモールセルｅＮＢとの通信を維持するためのＵＥのビーム追跡の効率的な方法を提供する。
【００１８】
異種ネットワーク（heterogeneous  network、ＨｅｔＮｅｔ）は、マクロセルとミリ波スモールとを含み得る。マクロセルは、数十キロメートルなどの広い範囲にわたって高電力セルラ基地局（マクロｅＮＢ）によってサービスされる無線カバレッジを提供する携帯電話ネットワーク内のセルである。一般的に、マクロセルは、スモールセルよりも大きいカバレッジを提供する。マクロセル基地局（マクロノード）は、典型的に数十ワットの電力出力を有する。スモールセルは、１０メートルから１又は２キロメートルまでの範囲を有する免許必要スペクトル及び免許不要スペクトルで動作する低電力無線アクセスノードである。携帯電話事業者がモバイルデータトラフィックの増加をサポートするのに苦労しているため、多くの事業者は、無線スペクトルのより効率的な使用として、モバイルトラフィックオフロードを使用している。スモールセルはデータオフロードの重要な要素であり、多くの移動体通信事業者は、マクロセルのみを使用する場合と比較してより効率的にスペクトルを管理するために、スモールセルが不可欠であると見ている。
【００１９】
マクロセルは、高電力低周波数マクロセルであり得るとともに、スモールセルは、ミリ波スモールセルのような低電力高周波数スモールセルであり得る。マクロセルは、３Ｇ、４Ｇ、又は５Ｇネットワークによって運用されることができる。
【００２０】
いくつかの実施例では、スモールセル（例えば、ミリ波）ｅＮＢとＵＥとの間の通信が確立される前に、ＵＥとミリ波スモールセルｅＮＢの両方のビーム方向が識別されなければならない。
【００２１】
図１ａは、異種ネットワークにおけるビーム検出及びビーム追跡のための方法１００を示す。
【００２２】
ステップ１０２及び１０４において、ＵＥは、３Ｇネットワーク又は４Ｇネットワークにおけるランダムアクセス手順のようなレガシー手順に従って、マクロセルにおいて、すなわちマクロｅＮＢ（マクロノード）とＵＥとの間でランダムアクセス手順を実行する。例えば、ＵＥは、リソース（例えば、タイミング、周波数、ビームなど）において、マクロセルの物理ランダムアクセスチャネル（physical  random  access  channel、ＰＲＡＣＨ）上でランダムアクセス信号、例えばランダムアクセスチャネル（Random  Access  Channel、ＲＡＣＨ）プリアンブルを送信することによって、マクロセルｅＮＢ（マクロセルノード）へのランダムアクセス手順を開始する。応答では、マクロｅＮＢは、ＵＥがマクロｅＮＢと通信できるように、リソースにおいて、マクロセルの物理ダウンリンク共有チャネル（physical  downlink  shared  channel、ＰＤＳＣＨ）上で、ランダムアクセス応答信号、すなわちランダムアクセス応答をＵＥに送信する。
【００２３】
ステップ１０６において、マクロｅＮＢは、スモールセル、例えばミリ波スモールセルの一般的な構成情報をＵＥに提供する。いくつかの実施例では、マクロｅＮＢは、スモールセルの参照信号情報（例えば、参照信号の数、参照信号セットなど）、及びスモールセルによって送出されるビームの情報（例えば、ビームの数、ビームインデックスなど）をＵＥに提供する。ＵＥは、マクロセルのタイミング情報に基づいて、又は参照信号（同期信号）が送出されたかどうかに基づいて、スモールセルｅＮＢ（スモールセルノード）の粗いタイミング情報を取得することができる。様々な実施例において、マクロｅＮＢは、複数の（隣接する）スモールセルの一般的な構成情報をＵＥに提供する。
【００２４】
いくつかの実施例では、マクロｅＮＢは、マクロセルの物理ブロードキャストチャネル（physical  broadcast  channel、ＰＢＣＨ）上で、スモールセルｅＮＢの構成情報を有するブロードキャスト信号をＵＥに送信する。他の実施例では、マクロｅＮＢは、スモールセルの構成情報をＵＥに提供するように、スモールセルｅＮＢに促す。例えば、ＵＥは、スモールセルｅＮＢから、スモールセルのＰＢＣＨチャネルを介して情報（ブロードキャスト信号）を取得することができる。マクロｅＮＢは、ステップ１０２及び１０４を、ＵＥがスモールセルの構成情報を受信するのと同時に、又はＵＥがスモールセルの構成情報を受信する前に、実行することができる。
【００２５】
ステップ１０８において、スモールセルｅＮＢは、参照信号又はダウンリンク同期信号を全てのビームで周期的に送信する。スモールセルｅＮＢにおけるビームは、いくつものアンテナ素子を有するアンテナアレイによって形成されることができる。いくつかの実施例では、ミリ波周波数の短い波長は、コンパクトな形態におけるいくつものアンテナ素子の使用を容易にすることができる。いくつものアンテナ素子を合成して、大きなアレイ利得に対応する高指向性ビームを形成することができる。ビームは、あらゆる方向の信号の送信及び受信に焦点を合わせることができ、ＵＥは、望ましくない経路損失を克服するために、所望の方向に接続することができる。
【００２６】
スモールセルｅＮＢは、Ｎ個のビームを形成することができる。いくつかの実施例では、無線ネットワークが時分割変調（time  division  modulation、ＴＤＭ）モードで動作する場合に、参照信号はＮ個のタイムスロットで送信されてもよい。各タイムスロットにおいて、参照信号は、１つのビーム方向に送られる。ＵＥは、Ｎ個（例えば、連続的な）のタイムスロットにおいて異なるビームの参照信号を検出し、Ｎ個のビームの各々に対するスモールセルビームインデックスを判定することができる。ＵＥは、ビームを、それらの信号品質（例えば、信号雑音比（signal-noise-ration、ＳＮＲ）、参照信号受信電力（reference  signal  received  power、ＲＳＲＰ）、又は参照信号受信品質（reference  signal  received  quality、ＲＳＲＱ））に従って、ランク付けすることができる。
【００２７】
ステップ１１０において、ＵＥは、スモールセルビームのうちの１つ又は複数を検出するとともに、タイムスタンプ（スロットインデックス）、及びスモールセルインデックス又は複数のスモールセルインデックスをマクロｅＮＢに送信することによって、好ましいビーム（例えば、最良のＳＮＲ、ＲＳＲＰ、又はＲＳＲＱを有するビーム）をフィードバック（例えば、報告）する。スモールセルｅＮＢが複数のビームを同時に形成し、参照信号を異なるビーム方向に同時に送信することができる場合、ＵＥは、同様に、タイムスタンプ及びスモールセルインデックスと共に、ビームインデックス（複数のインデックス）を報告する。いくつかの実施例では、ＵＥは、良好な品質又は最良の品質（１つだけ）のビームのみをマクロｅＮＢに報告することができる。様々な実施例において、ＵＥは、チャネル品質インジケータ（channel  quality  indicator、ＣＱＩ）情報を、時間インデックスと共に、アップリンク制御チャネル（例えば、ＰＵＣＣＨ）において報告することができる。
【００２８】
ステップ１１２において、マクロｅＮＢは、スモールセルｅＮＢが指定されたビーム（ＲＸビーム）又は指定されたタイムスロット内の指定されたビームにおいてＵＥをリッスンするように、スモールセルｅＮＢを設定する。例えば、マクロｅＮＢは、対応するビームに関して指定されたタイムスロットにおいてＵＥから検出信号を受信することを準備するように、スモールセルｅＮＢに通知する。対応するビームは、ＵＥに対して最良の品質（例えば、最良の受信機ＳＮＲ、ＲＳＲＰ、又はＲＳＲＱ）を有するビームであってもよい。スモールセルｅＮＢは、ＵＥによって送信されるアクセス検出信号（ＲＡＣＨ）について、この指定された時間スロットにおいてリッスンすることになる。
【００２９】
ステップ１１４において、マクロｅＮＢは、スモールセルｅＮＢへのランダムアクセスのために、タイムスロット及びＲＡＣＨプリアンブルシーケンスをＵＥに割り当てる。
【００３０】
次いで、ステップ１１６において、ＵＥは、ステップ１１４においてマクロｅＮＢによって割り当てられた専用タイムスロットにおいて、スモールセルのＰＲＡＣＨ上で、ランダムアクセス検出信号（例えば、ＲＡＣＨプリアンブル）をスモールセルｅＮＢに送信する。ステップ１１８において、スモールセルｅＮＢは、ランダムアクセス応答信号を指定されたビームでＵＥに送信する。ランダムアクセス応答（random  access  response、ＲＡＲ）は、ＰＤＳＣＨチャネルにおける割り当てられたビームのダウンリンクで送信される。
【００３１】
様々な実施例において、複数のＵＥが単一のビームに割り当てられた場合に、マクロｅＮＢは、競合のないアクセスを保証することになる。例えば、２つのＵＥが同じビームに割り当てられている場合、マクロｅＮＢは、ランダムアクセスのために、各ＵＥに対して異なるタイムスロット又は異なるＲＡＣＨプリアンブルを割り当てることになる。その代わりに、マクロｅＮＢは、ＵＥのうちの１つを別のビームに単に再割り当てすることができる。最後のステップであるステップ１２０において、スモールセルｅＮＢとＵＥは、アップリンクデータ又はダウンリンクデータを交換する。
【００３２】
いくつかの実施例では、方法１００の異種無線ネットワークは、符号分割変調（code  division  modulation、ＣＤＭ）モードで動作することができる。この実施例では、上述したように、ステップ１０２〜１０６が実行される。しかしながら、ステップ１０８において、スモールセルｅＮＢは、参照信号又はダウンリンク同期信号を全てのビームで周期的に送信する。参照信号は、ビームシグネチャとして、Ｎ個の直交符号で送信されることができる。各ビームは、長さＮの固有の直交符号を有する。同期シグネチャは、Ｚａｄｏｆｆ−Ｃｈｕ系列、又は他の直交系列であってもよい。スモールセルｅＮＢは、参照信号を同時に送出することができる。
【００３３】
ＵＥは、異なる符号を復号し、Ｎ個のビームのそれぞれについてビームインデックスを判定することによって、参照信号を検出することができる。次いで、ＵＥは、ステップ１１０において、それぞれのスモールセルについて、好ましい信号品質（例えば、ＳＮＲ、ＲＳＲＰ、又はＲＳＲＱ）を有するビームを判定して、複数のビームインデックス（又は、１つだけ好ましいビームが報告される場合には１つのビームインデックス）、及びスモールセルインデックス又は複数のスモールセルインデックスをマクロｅＮＢに送信することによって、これらの好ましいビーム報告する。いくつかの実施例では、ＵＥは、良好な品質又は最良の品質を有するビームのみをマクロｅＮＢに報告することができる。
【００３４】
ステップ１１２〜１２０は、ＴＤＭモードにおける方法と同様に実行される。しかしながら、複数のＵＥが同じビームに割り当てられている場合、マクロセルｅＮＢはＲＡＣＨについて、各ＵＥに異なるシグネチャを割り当てることになる。
【００３５】
いくつかの実施例では、方法１００の異種無線ネットワークは、周波数分割変調（frequency  division  modulation、ＦＤＭ）モードで動作することができる。この実施例では、上述したように、ステップ１０２〜１０６が実行される。しかしながら、ステップ１０８において、スモールセルｅＮＢは、異なるリソースブロック（例えば、（物理リソースブロック（physical  resource  block、ＰＲＢ））において参照信号又はダウンリンク同期信号を定期的に送信する。異なる参照信号又は同期信号によって異なるビームが識別される。異なるデジタルビームフォーミング（異なるビーム方向に対応する）が各リソースブロックに対して実行される。スモールセルｅＮＢは、参照信号を同時に送出することができる。次いで、ＵＥは、ステップ１１０において、好ましい品質（例えば、ＳＮＲ、ＲＳＲＰ、又はＲＳＲＱ）を有するビーム（リソースブロック）を検出するとともに判定して、対応するＣＱＩを有するリソースブロックのインデックスをマクロｅＮＢに送信することによって、ビームの品質を報告する。
【００３６】
いくつかの実施例では、ＵＥは、良好な品質又は最良の品質を有するビームのみをマクロｅＮＢに報告することができる。いくつかの実施例では、ＵＥは、アイドルモード又は接続モードにあるときに、スモールセルのビーム検出を周期的に行うことができる。ＵＥは、異なる（又は全ての）ビームについて、スモールセルのダウンリンクを定期的に監視することができる。異なるビームは、良好な品質のビームとして以前に識別されたビームであってもよい。一度より良好なビームがＵＥによって識別されると、ＵＥは、このより良好なビームの、スモールセルビームインデックス及びタイムスタンプ（ＴＤＭモード）、ビームシグネチャインデックス（ＣＤＭモード）、又はリソースブロックインデックス（ＦＤＭモード）を、ＣＱＩ情報と共に、マクロｅＮＢノードにフィードバックすることができる。マクロｅＮＢノードは、スモールセルｅＮＢとＵＥとの間のデータリンクを維持して追跡するために、スモールセルｅＮＢとのビームの切り替えを調整することができる。ビームの切り替えを調整することは、マクロｅＮＢノードが、スモールセルｅＮＢとＵＥの両方に通知することによって、ＵＥに新しいビームを割り当てること、を意味することができる。
【００３７】
いくつかの実施例では、マクロｅＮＢは、いくつかのＵＥの競合のないアクセスが達成されることができるように、スモールセルへのアクセスを調整することができる。例えば、複数のＵＥが同じスモールセルビームにアクセスしたい場合、マクロｅＮＢは、競合を避けるように、ＲＡＣＨを送信するために、各ＵＥに（時間、周波数、又は符号領域における）直交リソースを割り当てることができる。
【００３８】
いくつかの実施例では、マクロｅＮＢは、トラフィックの混雑が緩和されることができるように、スモールセルへのアクセスを調整することができる。例えば、ビーム競合は、１つ又は複数のＵＥによって既に占有されているビーム方向において、スモールセルｅＮＢによって送信された参照信号をサイレンスすることにより、回避されることができる。マクロｅＮＢは、占有されたビーム内のダウンリンク参照信号の送信を、このビームがＵＥにおいてビジーである限り停止するように、スモールセルｅＮＢに指示することができる。その代わりに、占有されたビームの参照信号は、このビームが既に占有されていることをＵＥが分かるように変更された参照信号であってもよい。したがって、ＵＥは、これらのビームへのアクセスを回避することができる。
【００３９】
図２ａ〜図２ｃは、マクロセル２１０と、ミリ波セルなどのスモールセル２２０とを有する異種ネットワーク（heterogeneous  network、ＨｅｔＮｅｔ）２００を示す。マクロセル基地局２１４（例えば、マクロセルｅＮＢ）はマクロセル２１０をカバーし、スモールセル基地局２２４（例えば、スモールセルｅＮＢ）はスモールセル２２０をカバーする。マクロセル２１０は、複数の（隣接する）スモールセル２２０をカバーする。図２ａは、ＵＥ２３０がマクロセル基地局２１４との初期通信をどのようにセットアップするかを示す。初期通信は、マクロｅＮＢ２１４によってスモールセル２２０の一般的な構成情報をＵＥに提供することを含む、図１の実施例のステップ１０２  １０６によって実行されてもよい。
【００４０】
図２ｂは、ＵＥ２３０がスモールセル基地局２２４のビーム２２６をどのように検出し、判定し、評価するか、並びに、ＵＥ２３０がビーム２２６の品質をマクロセル基地局２１４にどのように報告するかを示す。これは、図１の実施例のステップ１０８〜１２０によって実行されてもよい。スモールセルｅＮＢ２２４は、参照信号をビームで周期的に送信することができる。例えば、ＵＥは、複数のスモールセル２２０からのスモールセルビームを検出し、タイムスタンプ及びスモールセルインデックスをマクロｅＮＢ２１４に送信することによって、好ましいビームをフィードバックする。マクロｅＮＢ２１４は、スモールセルｅＮＢ２２４が指定されたビーム（最も好ましいビームに基づいて）及び指定されたタイムスロットでＵＥをリッスンするように、スモールセルｅＮＢ２２４のうちの１つを設定する。接続は、ＵＥにより、アクセス信号を指定されたビーム及びタイムスロットで交換することによって、確立される。いくつかの実施例では、いくつかのビームと（単一の）スモールセルｅＮＢ２２４との間の接続が確立される。その代わりに、マクロｅＮＢ２１４は、いくつかの（例えば、２つ以上の（隣接する））スモールセルｅＮＢ２２４を、これらのスモールセルｅＮＢ２２４が指定されたビーム及び指定されたタイムスロットでＵＥ２３０をリッスンするように設定する。ＵＥと、２つ以上の隣接するスモールセルｅＮＢ２２４のいくつかのビームとの間の接続は、指定されたビーム及びタイムスロットでアクセス信号を交換することによって確立される。
【００４１】
図２ｃは、マクロセルベースｅＮＢ２１４がどのようにスモールセルｅＮＢ２２４を設定するか、並びに、マクロセル基地局２１４の助けを借りてＵＥ２３０及びスモールセルｅＮＢ２２４が指定されたビーム２２８又は２２９上でどのように通信するかを示す。図２ｃは、マクロセルｅＮＢ２１４が、ＵＥ２３０に対する良好な通信リンクを維持するために、２つの隣接するスモールセルｅＮＢ２２４の間でＵＥ２３０に対するビームの切り替え（ビーム追跡）をどのように調整するかを示す。ＵＥ２３０が通信するビーム２２８の品質が悪化した場合、又はＵＥ２３０が現在通信しているビーム２２８よりも品質の良いビーム２２９をＵＥ２３０が見つけた場合、ＵＥ２３０は、より良い品質のビームに切り替えることを望むかもしれない。ＵＥ２３０は、連続的に、又は必要に応じて、他のビームを監視して測定し、最良の品質のビームをマクロセルｅＮＢ２１４に報告することができる。より良いビームが見つかった場合、マクロｅＮＢ２１４は、例えば、ビーム２２９をＵＥに割り当てることによって、より良いビームをＵＥ２３０に割り当てることができる。アクセス手順は、図１の実施例におけるステップ１１２〜１２０に関して説明したように実行されることができる。いくつかの実施例では、割り当てられたビーム２２９は、異なるスモールセルｅＮＢ２２４（例えば、隣接するｅＮＢ）に属してもよい。
【００４２】
ビームの切り替え手順は、同じスモールセル内で、又は隣接するスモールセル間で、実行されてもよい。様々な実施例において、ＵＥは、複数のビーム（すなわち、１つのビームだけではない）を同時に切り替えることができる。他の実施例では、ＵＥは、いくつかのビームを切り替えるが、しかし、いくつかのビームを、同じスモールセル内か、又は異なるスモールセル間で保持する。
【００４３】
いくつかの実施例では、スモールセルｅＮＢがビームを形成するだけでなく、ＵＥもビームを形成することができる。ＵＥにおけるビームは、２つのアンテナ素子を有するアンテナアレイによって形成されることができる。スモールセルｅＮＢの場合と同様に、ＵＥのアンテナ素子は、高指向性ビームを合成して形成することができる。ビームは、スモールセルｅＮＢの方向に、信号の送信及び受信を集中させることができる。ＵＥは、ＵＥだけでなく、スモールセルｅＮＢにおける良好なビーム又は最良のビームを識別する。したがって、ＵＥがビーム検出を完了するためには、より多くの時間がかかるであろう。例えば、いくつかの実施例では、ＵＥがＭ個のビームを形成することができ、スモールセルｅＮＢがＮ個のビームを形成することができる場合、ＴＤＭモードにおいて、ＵＥが検出を完了するためには、Ｎ×Ｍタイムスロットを要する。
【００４４】
本発明が例示的な実施例を参照して説明された一方、この説明は、限定的な意味に解釈されることを意図していない。説明を参照することにより、本発明の他の実施例と同様に、例示的な実施例の様々な変形及び組み合わせが当業者には明らかになるであろう。したがって、添付の請求項は、あらゆるそのような変形又は実施例を包含することが意図されている。
【図１】
2018526858.tif 000003
【図２ａ】
2018526858.tif 000004
【図２ｂ】
2018526858.tif 000005
【図２ｃ】
2018526858.tif 000006
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
異種無線ネットワークにおいて、指定されたスモールセルノードとユーザ装置（User  Equipment、ＵＥ）との間のデータリンクを提供するための方法であって、当該方法が、
前記ＵＥにより、１つ又は複数のスモールセルノードによってビームで送信された参照信号を検出するステップであって、各参照信号がビームに割り当てられる、ステップと、
前記ＵＥにより、前記ビームのビーム品質を測定するステップと、
前記ＵＥにより、最良品質のビームをマクロセルノードに報告するステップと、
前記ＵＥにより、前記マクロセルノードからアサインメントを受信するステップであって、前記アサインメントが前記指定されたスモールセルノードにアクセス信号を送信するためのものである、ステップと、
前記ＵＥにより、前記アクセス信号を前記指定されたスモールセルノードに送信するステップとを含む、方法。
【請求項２】
前記ＵＥにより、前記マクロセルノードから前記１つ又は複数のスモールセルノードの一般的な構成情報を受信するステップを更に含む、請求項１に記載の方法。
【請求項３】
前記ＵＥにより、前記アクセス信号を送信するステップが、前記指定されたスモールセルノードにランダムアクセス検出信号を送信するステップを含む、請求項１に記載の方法。
【請求項４】
前記ＵＥにより、ランダムアクセス応答信号を前記指定されたスモールセルノードから受信するステップを更に含む、請求項３に記載の方法。
【請求項５】
前記ＵＥにより、前記最良品質のビームを報告するステップが、前記無線ネットワークがＴＤＭモードで動作している場合に、前記マクロセルノードにタイムスタンプ及びスモールセルインデックスを報告するステップを含む、請求項１に記載の方法。
【請求項６】
前記ＵＥにより、前記最良品質のビームを報告するステップが、前記無線ネットワークがＣＤＭモードで動作している場合に、前記マクロセルノードにビームインデックス及びスモールセルインデックスを報告するステップを含む、請求項１に記載の方法。
【請求項７】
前記ＵＥにより、前記最良品質のビームを報告するステップが、前記無線ネットワークがＦＤＭモードで動作している場合に、前記マクロセルノードにリソースブロックインデックス及びスモールセルインデックスを報告するステップを含む、請求項１に記載の方法。
【請求項８】
前記ＵＥにより、前記最良品質のビームを報告するステップが、チャネル品質インジケータ（channel  quality  indicator、ＣＱＩ）情報を報告するステップを含む、請求項１に記載の方法。
【請求項９】
前記ビームの品質が、前記ビームの、信号雑音比（signal-noise-ration、ＳＮＲ）、参照信号受信電力（reference  signal  received  power、ＲＳＲＰ）、及び参照信号受信品質（reference  signal  received  quality、ＲＳＲＱ）のうちの少なくとも１つに基づいて判定される、請求項１に記載の方法。
【請求項１０】
前記ＵＥがＭ個のビームを形成し、前記スモールセルノードがＮ個のビームを形成するとともに、前記最良品質のビームを報告するステップが、Ｎ×Ｍ個のビームの組み合わせに対する前記最良品質のビームを報告するステップを含む、請求項１に記載の方法。
【請求項１１】
前記アサインメントが、少なくとも１つの指定されたビーム及び少なくとも１つの指定された時間スロットにおいて前記アクセス信号を送信するためのものである、請求項１に記載の方法。
【請求項１２】
前記指定されたスモールセルノードがミリ波スモールセルノードである、請求項１に記載の方法。
【請求項１３】
無線ネットワークにおいて、指定されたスモールセルノードに通信するように構成されたユーザ装置（User  Equipment、ＵＥ）であって、当該ＵＥが、
１つ又は複数のスモールセルノードによってビームで送信された参照信号を検出するように構成された検出器であって、各参照信号がビームに割り当てられる、検出器と、
前記ビームのビーム品質を測定するように構成されたプロセッサと、
最良品質のビームをマクロセルノードに報告するように構成された送信機と、
前記マクロセルノードからアサインメントを受信するように構成された受信機であって、前記アサインメントが前記指定されたスモールセルノードにアクセス信号を送信するためのものである、受信機と、
前記指定されたスモールセルノードに前記アクセス信号を送信するように構成された前記送信機とを備える、ＵＥ。
【請求項１４】
前記アサインメントが、指定されたビーム及び指定されたタイムスロットにおける前記アクセス信号のためのものであり、前記アクセス信号が、前記指定されたビーム及び前記指定されたタイムスロットにおいて前記指定されたスモールセルノードに送信される、請求項１３に記載のＵＥ。
【請求項１５】
異種無線ネットワークにおいて、スモールセルノードとユーザ装置（User  Equipment、ＵＥ）との間のデータリンクを提供するための方法であって、当該方法が、
前記スモールセルノードにより、ダウンリンクにおいて参照信号を送信するステップであって、各参照信号がビームに割り当てられる、ステップと、
前記スモールセルノードにより、アクセス信号を監視するためのアサインメントをマクロセルノードから受信するステップと、
前記スモールセルノードにより、前記ＵＥからの前記アクセス信号を検出するステップとを含む、方法。
【請求項１６】
前記スモールセルノードが、新しいＵＥからのアクセス要求を避けるために又は指定されたビーム内の前記参照信号を変更するために、前記指定されたビームが既に占有されていることを前記新しいＵＥが分かるように、前記参照信号をサイレンスする、請求項１５に記載の方法。
【請求項１７】
前記アクセス信号を監視するための前記アサインメントが、指定されたビーム及び指定された時間スロットにおいて前記アクセス信号を監視するためのアサインメントを含み、前記アクセス信号が、前記指定されたビーム及び指定されたタイムスロットにおいて検出される、請求項１５に記載の方法。
【請求項１８】
異種無線ネットワークにおいて、スモールセルノードとＵＥとの間のデータリンクを提供するための方法であって、当該方法が、
マクロｅＮＢにより、ＵＥからスモールセルビーム品質測定報告を受信するステップと、
前記マクロｅＮＢにより、ランダムアクセスのために前記スモールセルノード及びＵＥにアサインメントを送信するステップとを含む、方法。
【請求項１９】
複数のＵＥが同じビームに割り当てられ、マクロｅＮＢアサインメントが複数の直交リソースのうちの直交リソースのアサインメントを含み、前記直交リソースの前記アサインメントが競合のないアクセスを保証する、請求項１８に記載の方法。
【請求項２０】
前記アサインメントが、指定されたビーム及び指定されたタイムスロットのアサインメントを含む、請求項１８に記載の方法。
【請求項２１】
ＵＥに通信するように構成されたスモールセルノードであって、当該スモールセルノードが、
ダウンリンクにおいて参照信号を送信するように構成された送信機であって、各参照信号がビームに割り当てられる、送信機と、
アクセス信号を監視するためのアサインメントをマクロセルノードから受信するように構成された受信機と、
前記ＵＥからの前記アクセス信号を検出するように構成された検出器とを備える、スモールセルノード。
【請求項２２】
前記アクセス信号が、指定されたビーム及び指定されたタイムスロットにおいて監視され、前記アクセス信号が、前記指定されたビーム及び前記指定されたタイムスロットにおいて検出される、請求項２１に記載のスモールセルノード。
【請求項２３】
マクロセルノードであって、
ＵＥからスモールセルビーム品質測定報告を受信するように構成された受信機と、
ランダムアクセスのためにスモールセルノード及び前記ＵＥにアサインメントを送信するように構成された送信機とを備える、マクロセルノード。
【請求項２４】
前記アサインメントが、指定されたビーム及び指定されたタイムスロットのアサインメントを含む、請求項２３に記載のマクロセルノード。
【手続補正２】
【補正対象書類名】明細書
【補正対象項目名】０００２
【補正方法】変更
【補正の内容】
【０００２】
技術分野
本発明は、一般的に、ビーム検出又はビーム追跡のためのシステム及び方法に関し、特に実施例では、異種ネットワーク内のミリ波（millimeter  wave、mm-wave）スモールセルにおけるビーム選択又はビーム追跡のためのシステム及び方法に関する。
【手続補正３】
【補正対象書類名】明細書
【補正対象項目名】００２１
【補正方法】変更
【補正の内容】
【００２１】
図１は、異種ネットワークにおけるビーム検出及びビーム追跡のための方法１００を示す。
【手続補正４】
【補正対象書類名】明細書
【補正対象項目名】００３９
【補正方法】変更
【補正の内容】
【００３９】
図２ａ〜図２ｃは、マクロセル２１０と、ミリ波セルなどのスモールセル２２０とを有する異種ネットワーク（heterogeneous  network、ＨｅｔＮｅｔ）２００を示す。マクロセル基地局２１４（例えば、マクロセルｅＮＢ）はマクロセル２１０をカバーし、スモールセル基地局２２４（例えば、スモールセルｅＮＢ）はスモールセル２２０をカバーする。マクロセル２１０は、複数の（隣接する）スモールセル２２０をカバーする。図２ａは、ＵＥ２３０がマクロセル基地局２１４との初期通信をどのようにセットアップするかを示す。初期通信は、マクロセルｅＮＢ２１４によってスモールセル２２０の一般的な構成情報をＵＥに提供することを含む、図１の実施例のステップ１０２〜１０６によって実行されてもよい。
【手続補正５】
【補正対象書類名】明細書
【補正対象項目名】００４０
【補正方法】変更
【補正の内容】
【００４０】
図２ｂは、ＵＥ２３０がスモールセル基地局２２４のビーム２２６をどのように検出し、判定し、評価するか、並びに、ＵＥ２３０がビーム２２６の品質をマクロセル基地局２１４にどのように報告するかを示す。これは、図１の実施例のステップ１０８〜１２０によって実行されてもよい。スモールセルｅＮＢ２２４は、参照信号をビームで周期的に送信することができる。例えば、ＵＥは、複数のスモールセル２２０からのスモールセルビームを検出し、タイムスタンプ及びスモールセルインデックスをマクロセルｅＮＢ２１４に送信することによって、好ましいビームをフィードバックする。マクロセルｅＮＢ２１４は、スモールセルｅＮＢ２２４が指定されたビーム（最も好ましいビームに基づいて）及び指定されたタイムスロットでＵＥをリッスンするように、スモールセルｅＮＢ２２４のうちの１つを設定する。接続は、ＵＥにより、アクセス信号を指定されたビーム及びタイムスロットで交換することによって、確立される。いくつかの実施例では、いくつかのビームと（単一の）スモールセルｅＮＢ２２４との間の接続が確立される。その代わりに、マクロセルｅＮＢ２１４は、いくつかの（例えば、２つ以上の（隣接する））スモールセルｅＮＢ２２４を、これらのスモールセルｅＮＢ２２４が指定されたビーム及び指定されたタイムスロットでＵＥ２３０をリッスンするように設定する。ＵＥと、２つ以上の隣接するスモールセルｅＮＢ２２４のいくつかのビームとの間の接続は、指定されたビーム及びタイムスロットでアクセス信号を交換することによって確立される。
【手続補正６】
【補正対象書類名】明細書
【補正対象項目名】００４１
【補正方法】変更
【補正の内容】
【００４１】
図２ｃは、マクロセルｅＮＢ２１４がどのようにスモールセルｅＮＢ２２４を設定するか、並びに、マクロセル基地局２１４の助けを借りてＵＥ２３０及びスモールセルｅＮＢ２２４が指定されたビーム２２８又は２２９上でどのように通信するかを示す。図２ｃは、マクロセルｅＮＢ２１４が、ＵＥ２３０に対する良好な通信リンクを維持するために、２つの隣接するスモールセルｅＮＢ２２４の間でＵＥ２３０に対するビームの切り替え（ビーム追跡）をどのように調整するかを示す。ＵＥ２３０が通信するビーム２２８の品質が悪化した場合、又はＵＥ２３０が現在通信しているビーム２２８よりも品質の良いビーム２２９をＵＥ２３０が見つけた場合、ＵＥ２３０は、より良い品質のビームに切り替えることを望むかもしれない。ＵＥ２３０は、連続的に、又は必要に応じて、他のビームを監視して測定し、最良の品質のビームをマクロセルｅＮＢ２１４に報告することができる。より良いビームが見つかった場合、マクロセルｅＮＢ２１４は、例えば、ビーム２２９をＵＥに割り当てることによって、より良いビームをＵＥ２３０に割り当てることができる。アクセス手順は、図１の実施例におけるステップ１１２〜１２０に関して説明したように実行されることができる。いくつかの実施例では、割り当てられたビーム２２９は、異なるスモールセルｅＮＢ２２４（例えば、隣接するｅＮＢ）に属してもよい。
【国際調査報告】
2018526858.tif 000007
2018526858.tif 000008